【手続補正書】
【提出日】平成29年7月10日(2017.7.10)
【手続補正１】
【補正対象書類名】特許請求の範囲
【補正対象項目名】全文
【補正方法】変更
【補正の内容】
【特許請求の範囲】
【請求項１】
フライバック電圧コンバータにおける電圧レギュレーションに関連付けられる電圧降下補償装置であって、
前記フライバック電圧コンバータにより生成される出力電圧に比例する出力電圧感知信号を生成するように前記フライバック電圧コンバータの出力に結合するための出力電圧感知回路と、
前記出力電圧感知信号と基準電圧との間の電圧差を判定し、パルス幅変調（ＰＷＭ）レギュレーションコントローラに送るために負のフィードバック制御信号を生成するように前記出力電圧感知回路に結合されるレギュレーションフィードバックコントローラであって、前記負のフィードバック制御信号が、前記ＰＷＭレギュレーションコントローラに、前記基準電圧によって決められるセットポイントに一層近く前記フライバック電圧コンバータの出力電圧を駆動させる、前記レギュレーションフィードバックコントローラと、
前記フライバック電圧コンバータに関連付けられるフライバック変圧器の二次巻線に結合するための出力電流比例分圧器であって、出力電流の直接的な測定なしに、前記フライバック電圧コンバータの出力における電流フローの大きさに比例して前記基準電圧を増大させ、前記フライバック電圧コンバータと前記フライバック電圧コンバータにより電力供給されるデバイスとの間の電圧降下を補償するためにコンバータ出力電圧セットポイントを増大させるように、整流されていないパルス波形を受信して前記整流されていないパルス波形をＤＣオフセット電圧に変換する、前記出力電流比例分圧器と、
を含む、装置。
【請求項２】
請求項１に記載の装置であって、
前記フライバック電圧コンバータと前記フライバック電圧コンバータにより電力供給されるデバイスとの間の前記電圧降下が接続ケーブル電圧降下である、装置。
【請求項３】
請求項１に記載の装置であって、
前記レギュレーションフィードバックコントローラが、
前記出力電圧感知回路に結合される電圧感知入力端子と、前記ＰＷＭレギュレーションコントローラに結合するための出力端子とを備える差動増幅器と、
前記基準電圧を供給するために前記出力電流比例分圧器と前記差動増幅器の基準電圧入力端子との間に結合される基準電圧源と、
を含む、装置。
【請求項４】
請求項１に記載の装置であって、
前記出力電流比例分圧器がコモン電圧レールに結合するためである、装置。
【請求項５】
請求項１に記載の装置であって、
前記フライバック電圧コンバータの一次側を前記フライバック電圧コンバータの二次側からガルバニックに隔離するように前記負のフィードバック制御信号の導体に直列に結合されるオプトカプラを更に含む、装置。
【請求項６】
請求項３に記載の装置であって、
前記出力電圧感知回路が、
前記フライバック電圧コンバータの前記出力と前記差動増幅器の前記電圧感知入力端子との間に結合される第１の電圧感知レジスタと、
前記差動増幅器の前記電圧感知入力とコモン電圧レールとの間に結合される第２の電圧感知レジスタと、
を含む、装置。
【請求項７】
請求項４に記載の装置であって、
前記コモン電圧レールが接地レールである、装置。
【請求項８】
フライバック電圧コンバータにおける電圧レギュレーションに関連付けられる電圧降下補償装置であって、
前記フライバック電圧コンバータにより生成される出力電圧に比例する出力電圧感知信号を生成するように前記フライバック電圧コンバータの出力に結合するための出力電圧感知回路と、
前記出力電圧感知信号と基準電圧との間の電圧差を判定し、前記電圧差に比例する負のフィードバック制御信号を生成するように前記出力電圧感知回路に結合されるレギュレーションデバイスであって、前記負のフィードバック制御信号が、パルス幅変調（ＰＷＭ）レギュレーションコントローラに、前記基準電圧によって決められるセットポイントに一層近く前記フライバック電圧コンバータの出力電圧を駆動させる、前記レギュレーションデバイスと、
出力電流の直接的な測定なしに、コンバータ出力を前記フライバック電圧コンバータにより電力供給されるデバイスに結合するためのケーブルにおける電圧降下を補償するよう前記コンバータ出力電圧セットポイントを増大させるために、前記フライバック電圧コンバータの出力における電流フローに比例して前記基準電圧を増大させるために前記フライバック電圧コンバータに関連付けられるフライバック変圧器の二次巻線に結合するための出力電流比例分圧器及び平均化回路であって、
電流フローを前記二次巻線から順方向に向けるように前記フライバック変圧器の前記二次巻線にアノード結合される補償ダイオードと、
前記補償ダイオードのカソードに結合される第１の端子を備える第１の補償レジスタと、
前記第１の補償レジスタとコモン電圧ノードとの間に直列に結合される第２の補償レジスタであって、前記第１及び第２の補償レジスタの接合における分圧ノードが、前記分圧ノードにおいて生成される連続的直流（ＤＣ）電圧の大きさだけ前記基準電圧を増大させるために、前記レギュレーションデバイスに関連付けられる基準電圧源の端子に結合される、前記第２の補償レジスタと、
を含む、前記出力電流比例分圧器及び平均化回路と、
を含む、装置。
【請求項９】
請求項８に記載の装置であって、
前記レギュレーションデバイスがＴＬ４３１シャントレギュレータである、装置。
【請求項１０】
請求項８に記載の装置であって、
前記出力電流比例分圧器及び平均化回路の平均化回路部分が、
レジスタキャパシタ（ＲＣ）ローパスフィルタをつくるように前記第２の補償レジスタと並列に結合される補償キャパシタを含み、
前記ローパスフィルタが、前記補償ダイオードの前記カソードと前記第１の補償レジスタの前記第１の端子との間のノードにおいて現れる一連の矩形電圧パルスの分圧されたバージョンを平均化するためのものであり、
各矩形電圧パルスの期間Ｔが、前記ＰＷＭレギュレーションコントローラによって決められるように前記二次巻線を流れる一連の電流パルスの各々の期間Ｔに等しく、
前記平均化回路部分が、前記分圧ノードにおいて前記連続的ＤＣ電圧を生成するようにＰＷＭサイクルピリオドＰにわたって各矩形電圧パルスの前記分圧されたバージョンを平均するためのものである、装置。
【請求項１１】
請求項８に記載の装置であって、
オプトカプラを更に含み、
前記オプトカプラの発光要素が、前記ＰＷＭレギュレーションコントローラにおいて構成される前記オプトカプラの光学的レシーバ部分に前記負のフィードバック制御信号のガルバニックに隔離されたバージョンを光エネルギーとして結合するように、前記レギュレーションデバイスと前記フライバック電圧コンバータの前記出力との間に直列に通信可能に結合される、装置。
【請求項１２】
請求項８に記載の装置であって、
前記出力電圧感知回路が、
前記フライバック電圧コンバータの出力と前記レギュレーションデバイスの基準入力端子との間に結合される第１の電圧感知レジスタと、
前記レギュレーションデバイスの基準入力端子とコモン電圧レールとの間に結合される第２の電圧感知レジスタと、
を含む、装置。
【請求項１３】
フライバック電圧コンバータにおける電圧レギュレーションの方法であって、
負のフィードバックコンバータ出力電圧制御ループを実装するように、フライバック電圧コンバータ出力電圧感知回路と前記フライバック電圧コンバータのパルス幅変調（ＰＷＭ）レギュレーションコントローラ部分とに通信可能に結合されるレギュレーションデバイスにおいて、出力電流の直接的な測定なしに、前記フライバック電圧コンバータを前記フライバック電圧コンバータにより電力供給されるデバイスに結合するために用いられるケーブルにおける電圧降下を補償するようにコンバータ出力電圧セットポイントを増大させるために、補償された基準電圧を生成するようコンバータ出力における整流されていないパルス波形から生成される電流フローの大きさに比例する可変補償オフセット電圧の大きさだけ基準電圧を増大させること、
を含む、方法。
【請求項１４】
請求項１３に記載の方法であって、
前記フライバック電圧コンバータに関連付けられるフライバック変圧器の二次巻線において矩形電圧波形を感知すること、
を更に含み、
前記矩形電圧波形が、前記ＰＷＭレギュレーションコントローラによって決められるように前記二次巻線を介して流れる電流の波形のデューティサイクルに等しいデューティサイクルを有すると共に、前記二次巻線の出力電圧に実質的に等しいピーク電圧の大きさを有する、方法。
【請求項１５】
請求項１３に記載の方法であって、
前記フライバック電圧コンバータにより生成される出力電圧に比例する出力電圧感知信号を生成することを更に含む、方法。
【請求項１６】
請求項１５に記載の方法であって、
前記レギュレーションデバイスにおいて、前記出力電圧感知信号の大きさと前記補償された基準電圧との間の電圧差を判定することと、
前記電圧差に比例する負のフィードバック制御信号を生成することと、
を更に含む、方法。
【請求項１７】
請求項１６に記載の方法であって、
前記ＰＷＭレギュレーションコントローラにおいて、前記負のフィードバック制御信号を受信することと、
前記電圧差の大きさを低減するように前記補償された基準電圧によって決められるセットポイントに一層近く前記コンバータの出力電圧を駆動することと、
を更に含む、方法。
【請求項１８】
請求項１７に記載の方法であって、
前記フライバック電圧コンバータの一次側を前記フライバック電圧コンバータの二次側からガルバニックに隔離するために、前記負のフィードバック制御信号を用いて前記レギュレーションデバイスと前記ＰＷＭレギュレーションコントローラとの間に構成されるオプトカプラの発光要素を駆動すること、
を更に含む、方法。
【請求項１９】
フライバック電圧コンバータの電圧レギュレーションの方法であって、
負のフィードバックコンバータ出力電圧制御ループを実装するように、フライバック電圧コンバータ出力電圧感知回路と前記フライバック電圧コンバータのパルス幅変調（ＰＷＭ）レギュレーションコントローラ部分とに通信可能に結合されるレギュレーションデバイスにおいて、出力電流の直接的な測定なしに、前記フライバック電圧コンバータを前記フライバック電圧コンバータにより電力供給されるデバイスに結合するために用いられるケーブルにおける電圧降下を補償するようにコンバータ出力電圧セットポイントを増大させるために、補償された基準電圧を生成するようコンバータ出力における整流されていないパルス波形から生成される電流フローの大きさに比例する可変補償オフセット電圧の大きさだけ基準電圧を増大させることと、
直流（ＤＣ）オフセット電圧を生成するようにＰＷＭサイクルピリオドにわたって前記矩形電圧波形を平均化することと、
前記可変補償オフセット電圧を生成するように、選択された比で前記ＤＣオフセット電圧を分圧することと、
前記フライバック電圧コンバータに関連付けられるフライバック変圧器の二次巻線において矩形電圧波形を感知することであって、前記矩形電圧波形が、前記ＰＷＭレギュレーションコントローラによって決められるように前記二次巻線を介して流れる電流の波形のデューティサイクルに等しいデューティサイクルを有すると共に、前記二次巻線の出力電圧に実質的に等しいピーク電圧の大きさを有する、前記矩形電圧波形を感知することと、
を含む、方法。